(57)【要約】      （修正有）【課題】果実輸送箱において、高い保冷性を維持する。【解決手段】果実輸送箱１は、発泡合成樹脂により成形された容器本体２を備える。容器本体２は、一鉛直面に開口部を有する箱状体であり、蓄冷剤４及び果実包装容器３が収容される複数の収容区画２Ａ〜２Ｄを有する。複数の収容区画２Ａ〜２Ｄは、互いの内部空間を連通させた通気流路２７を有する。この構成によれば、蓄冷剤４により冷却された空気が通気流路２７を通じて収容区画２Ｂ〜２Ｄに流れるので、果実輸送箱１内の収容空間の保冷性を高く維持することができる。【選択図】図８
2018127274.tif 000002
【特許請求の範囲】
【請求項１】
果実包装容器が収容される発泡樹脂製の容器本体を備えた果実輸送箱であって、
前記容器本体は、一鉛直面に開口部を有する箱状体であり、蓄冷剤及び前記果実包装容器が収容される複数の収容区画を有し、
前記複数の収容区画は、互いの内部空間を連通させた通気流路を有することを特徴とする果実輸送箱。
【請求項２】
前記容器本体を構成する鉛直面のうち、前記開口部と対向する背板は、該背板の内壁面から前記開口部に向けて突出して前記開口部から差し入れられる前記果実包装容器と接触する突出部を有し、
前記突出部は、前記収容区画毎に水平方向に所定の間隔を空けて複数設けられており、前記果実包装容器と前記背板の内壁面との間に前記通気流路を成すことを特徴とする請求項１に記載の果実輸送箱。
【請求項３】
前記容器本体を構成する鉛直面のうち、少なくとも前記開口部と直交する両側板は、該両側板の内壁面から水平方向に立設された複数の隔壁部を有し、
前記複数の隔壁部は、上下方向に所定間隔で設けられており、前記容器本体の内部空間を複数の区画に区切ることで、前記複数の収容区画を成し、
同一水平面に位置して対向する前記隔壁部の端部は、互いに離間していることを特徴とする請求項１又は請求項２に記載の果実輸送箱。
【請求項４】
前記蓄冷剤は、前記隔壁部で区切られた最も上方の収容区画に収容され、
前記蓄冷剤が収容される収容区画は、前記蓄冷剤を載置するために前記背板の内壁面から前記開口部に向けて立設された載置片を有し、
前記載置片と該載置片と併設された前記隔壁部との間には間隙が設けられていることを特徴とする請求項３に記載の果実輸送箱。
【請求項５】
前記背板の内壁面の一部には、前記隔壁部が設けられていないことを特徴とする請求項３又は請求項４に記載の果実輸送箱。
【発明の詳細な説明】
【技術分野】
【０００１】
本発明は、イチゴ等の果実を包装する果実包装容器が収容される発泡合成樹脂製の容器本体を備えた果実輸送箱に関する。
【背景技術】
【０００２】
従来から、イチゴ等の傷み易い果実を収容して輸送するためには、プラスチック製トレーや発泡ウレタントレーを用いた容器が広く用いられている。これらの容器は、搬送時に生じた振動や衝撃が、イチゴ等の果物に直接的に伝わり易く、果物同士の接触や容器同士の接触により果物が傷つくことがある。そこで、傷み易い果実の輸送容器の構造に関して様々な考案がなされている。
【０００３】
例えば、組み立ての必要がなく軽量であると共に、収納したイチゴ等のパック詰めトレーに対し、搬送時における振動や衝撃が直接伝わり難く、冷却時における冷却効率の良い集合包装容器も開示されている（例えば、特許文献１参照）。
【先行技術文献】
【特許文献】
【０００４】
【特許文献１】特開２０１５−４００５０号公報
【発明の概要】
【発明が解決しようとする課題】
【０００５】
上記のような果実輸送箱は、トラック等で輸送される際には、温度による果実の損傷を抑制するため、保冷車を用いることを前提としている。しかしながら、イチゴ等の果実が産地から販売店に陳列されるまでには、梱包や輸送行程を含めて様々な流通過程を経ており、その過程では冷却設備が整っていない環境に置かれる期間が含まれ得る。ところが、例えば、上記特許文献１に記載の集合包装容器では、底板に通気用の貫通穴を形成しているので、保冷車等の冷却設備が整った環境では冷却効率が高くなる一方で、冷却設備が整っていない環境では、果実が温かい外気に触れて傷み易くなってしまう。
【０００６】
本発明は、上記課題に鑑みてなされたものであり、高い保冷性を維持することができ、イチゴ等の果実が傷むことを防止することができる果実輸送箱を提供することを目的とする。
【課題を解決するための手段】
【０００７】
上記課題を解決するため、本発明は、果実包装容器が収容される発泡樹脂製の容器本体を備えた果実輸送箱であって、前記容器本体は、一鉛直面に開口部を有する箱状体であり、蓄冷剤及び前記果実包装容器が収容される複数の収容区画を有し、前記複数の収容区画は、互いの内部空間を連通させた通気流路を有することを特徴とする。
【０００８】
上記果実輸送箱において、前記容器本体を構成する鉛直面のうち、前記開口部と対向する背板は、該背板の内壁面から前記開口部に向けて突出して前記開口部から差し入れられる前記果実包装容器と接触する突出部を有し、前記突出部は、前記収容区画毎に水平方向に所定の間隔を空けて複数設けられており、前記果実包装容器と前記背板の内壁面との間に前記通気流路を成すことが好ましい。
【０００９】
上記果実輸送箱において、前記容器本体を構成する鉛直面のうち、少なくとも前記開口部と直交する両側板は、該両側板の内壁面から水平方向に立設された複数の隔壁部を有し、前記複数の隔壁部は、上下方向に所定間隔で設けられており、前記容器本体の内部空間を複数の区画に区切ることで、前記複数の収容区画を成し、同一水平面に位置して対向する前記隔壁部の端部は、互いに離間していることが好ましい。
【００１０】
上記果実輸送箱において、前記蓄冷剤は、前記隔壁部で区切られた最も上方の収容区画に収容され、前記蓄冷剤が収容される収容区画は、前記蓄冷剤を載置するために前記背板の内壁面から前記開口部に向けて立設された載置片を有し、前記載置片と該載置片と併設された前記隔壁部との間には間隙が設けられていることが好ましい。
【００１１】
上記果実輸送箱において、前記背板の内壁面の一部には、前記隔壁部が設けられていないことが好ましい。
【発明の効果】
【００１２】
本発明に係る果実輸送箱によれば、容器本体に設けられた複数の収容区画が、互いの内部空間を連通させた通気流路を有するので、蓄冷剤により冷却された空気が通気流路を通じて収容区画に流れるので、果実輸送箱内の収容空間の保冷性を高く維持することができ、イチゴ等の果実が傷むことを防止することができる。
【図面の簡単な説明】
【００１３】
【図１】（ａ）は本発明の一実施形態に係る果実輸送箱の容器本体と、容器本体に装着される蓋部材を分離した構成を示す斜視図、（ｂ）は容器本体に蓋部材を装着させた構成を示す斜視図。
【図２】果実輸送箱を成す容器本体の斜視図。
【図３】（ａ）は容器本体の正面図、（ｂ）は容器本体の背面図、（ｃ）は容器本体の上面図（又は底面図）、（ｄ）は容器本体の左側板図。
【図４】（ａ）は図３（ａ）のＡ−Ａ線断面図、（ｂ）はＢ−Ｂ線断面図、（ｃ）はＣ−Ｃ線断面図。
【図５】（ａ）は容器本体の斜視図、（ｂ）は（ａ）のＤ領域の拡大図。
【図６】（ａ）は果実輸送箱に用いられる果実包装容器の斜視図、（ｂ）は上面図、（ｃ）は正面図。
【図７】果実輸送箱に用いられる蓋部材の主として背面を示す斜視図。
【図８】（ａ）は果実包装容器を収容した容器本体の正面図、（ｂ）は（ａ）のＥ−Ｅ線断面図、（ｃ）Ｆ−Ｆ線断面図。
【図９】（ａ）（ｂ）は２つの容器本体を連結させた果実輸送箱の組立前の斜視図、（ｂ）は組立後の斜視図。
【発明を実施するための形態】
【００１４】
本発明の一実施形態に係る果実輸送箱について、図面を参照して説明する。図１（ａ）（ｂ）に示すように、果実輸送箱１は、イチゴ等の果実が包装された果実包装容器３が収容される発泡樹脂製の容器本体２を備える。容器本体２は、一鉛直面に開口部２０を有する箱状体であり、ここでは、容器本体２内に、果実包装容器３と、容器本体２内を冷却するための蓄冷剤４が収容されるものとする。また、本実施形態では、容器本体２の開口部２０に、蓋部材５が嵌め込まれ、これら容器本体２及び蓋部材５によって果実包装容器３及び蓄冷剤４を収容するための収容空間が形成される。
【００１５】
図２に示すように、容器本体２は、容器本体２を構成する鉛直面であって開口部２０と直交する両側板２１の内壁面２１ａには、複数の隔壁部２２ａ〜２２ｃが設けられている。隔壁部２２ａ〜２２ｃは、容器本体２の内部空間を複数の区画に区切り、これにより果実包装容器３が収容される複数の収容区画２Ａ〜２Ｄが成される。４つの収容区画２Ａ〜２Ｄのうち、最も上の収容区画２Ａに蓄冷剤４が、最も下方の収容区画２Ｄに蓄冷剤４又は果実包装容器３（図例では蓄冷剤４）が収容され、それらの間にある収容区画２Ｂ、２Ｃに、果実包装容器３が収容されている。なお、ここでは、容器本体２内の収容空間が、３列の隔壁部２２ａ〜２２ｃによって区切られて４つの収容区画２Ａ〜２Ｄとなった構成を示すが、隔壁部は４列以上、収容区画は５つ以上であってもよい。
【００１６】
図１（ａ）に示したように、果実包装容器３は、開口部２０から水平方向に収容区画２Ｂ、２Ｃに差し入れられ、果実包装容器３の両縁部が隔壁部２２ａ〜２２ｃに係止される。本実施形態の果実輸送箱１では、容器本体２に果実包装容器３及び蓄冷剤４が収容された状態で、図１（ｂ）に示したように、開口部２０に蓋部材５が嵌め込まれる。なお、果実輸送箱１は、蓋部材５を用いずに、２つの容器本体２の開口部２０同士を嵌合させて果実包装容器３及び蓄冷剤４を収容することもできる（後述する図９参照）。
【００１７】
容器本体２は、正面視において略矩形であり、四方の角部が丸みを帯びるように面取りされている。容器本体２は、発泡合成樹脂の成形体であり、例えば、熱可塑性樹脂の発泡用の粒子を型内に充填し加熱し、発泡させて一体成形される。熱可塑性樹脂は、例えば、スチレン系樹脂であり、又はスチレン系樹脂に、例えば、オレフィン系樹脂といった他の樹脂を混合させた複合樹脂であってもよい。
【００１８】
蓄冷剤４は、一般に使用前に冷凍することにより、繰り返し使用可能な冷却手段である。蓄冷剤４としては、例えば、水とポリアクリル酸ナトリウム等の高吸水性樹脂（ゲル化剤）又はガム類等の増粘剤と無機塩類とを含有する袋詰め、及びポリエチレン製容器封入品、並びにそれらの組合せ等が挙げられる。蓄冷剤４の融点は、例えば、−１５℃〜−１℃である。
【００１９】
図２、図３（ａ）乃至（ｄ）及び図４（ａ）乃至（ｃ）に示すように、容器本体２は、一辺が他辺よりもやや長い矩形状の底板２３ａ（図２、図３（ｃ））と、底板２３ａの周囲に立設される側板２１（図３（ｄ））及び背板２４（図３（ｂ））と、底板２３ａと正対する天板２３ｂ（図１（ａ））と、を有する。側板２１の外形形状は、鉛直方向の辺が水平方向の辺よりも長い略矩形状である（図３（ｄ））。なお、側板２１は、左右対称形状であり、図例では左側板２１のみを示す。また、底板２３ａ及び天板２３ｂの外形形状は同一である（図３（ｄ））。
【００２０】
開口部２０は、両側板２１、底板２３ａ、天板２３ｂの４辺のうち、背板２４とは反対側の周縁により形成される（図２参照）。開口部２０の周縁には、内方よりも外方が突出した外突隅部２０ａが、開口部２０の一の対角を成す位置に夫々設けられ、外方よりも内方が突出した内突隅部２０ｂが、開口部２０の他の対角を成す位置に夫々設けられている。外突隅部２０ａ及び内突隅部２０ｂは、夫々平面視においてＬ字形状である。
【００２１】
外突隅部２０ａの内壁部には、蓋部材５に形成された凸形状のガイド突起５０ｄと嵌合するガイド溝２０ｃが形成されている（図１、図４（ｂ）（ｃ）参照）。また、内突隅部２０ｂの外壁部には、蓋部材５に形成された凹形状のガイド溝５０ｃと嵌合するガイド突起２０ｄが形成されている。
【００２２】
図３（ｂ）に示すように、背板２４の外壁面２４ｂと底板２３ａ又は天板２３ｂとの稜線を挟む隅部には、外側から掛けられるバンド５（後述する図９（ｂ）参照）を係止するための複数の凹部２４ｃが形成されている。また、背板２４の外壁面２４ｂには、果実輸送箱１の上下方向を明示するための矢印２４ｅ、及び凹形状の取っ手部２４ｄが設けられている。これらの構成により、果実輸送箱１に果実包装容器３の収容する作業性及び果実輸送箱１を持ち運ぶ輸送性を向上させることができる。
【００２３】
上述したように、容器本体２を構成する鉛直面のうち、少なくとも開口部２０と直交する両側板２１は、これら両側板２１の内壁面２１ａから水平方向に複数の隔壁部２２ａ〜２２ｃが立設されている。すなわち、隔壁部２２ａ〜２２ｃは、内壁面２１ａに対して片持ち状態となっている。隔壁部２２ａ〜２２ｃの内壁面２１ａからの突出長さは、果実包装容器３を保持するに足る長さがあればよい。ただし、後述する図６で示すように、果実包装容器３の外縁側が傾斜面として形成されている場合には、少なくとも果実包装容器３の水平な平坦面を成す上面及び下面を保持できるように、隔壁部２２ａ〜２２ｃは、少なくとも４０ｍｍ以上の突出長さを有していることが好ましい。
【００２４】
同一水平面に位置して対向する隔壁部２２ａ〜２２ｃの端部は、互いに所定間隔で離間している。対向する隔壁部２２ａ〜２２ｃの離間距離は、１５０ｍｍ以上であることが好ましい。このように、隔壁部２２ａ〜２２ｃの突出長さを一定程度確保すると共に、対向する隔壁部２２ａ〜２２ｃ同士を離間させ、このような隔壁部２２ａ〜２２ｃで果実包装容器３を保持することで、果実包装容器３は宙吊り状態となる。その結果、輸送中の振動・衝撃等が果実包装容器３に伝わり難くなり、果実包装容器３内に包装されたイチゴ等の果実が傷んでしまうことを適切に防止することができる。
【００２５】
隔壁部２２ａ〜２２ｃは、夫々側板２１の内壁面２１ａから背板２４の内壁面２４ａにかけて、隔壁部２２ａ’〜２２ｃ’が延設されている（図２参照）。すなわち、隔壁部２２ａ〜２２ｃは、背板２４側の隔壁部２２ａ’〜２２ｃ’と合わせて、水平断面視においてＬ字形状となるように形成されている（図２、図４（ｂ）参照）。背板２４側からも隔壁部２２ａ’〜２２ｃ’を立設させることで、容器本体２は、果実包装容器３の３辺を安定的に保持することができる。
【００２６】
また、背板２４の内壁面２４ａの一部には、隔壁部２２ａ’〜２２ｃ’が設けられていない。具体的には、同一水平面に位置して対向する隔壁部２２ａ’〜２２ｃ’のうち、少なくとも隔壁部２２ｂ’、２２ｃ’の端部は、互いに所定間隔で離間している。そのため、果実包装容器３が収容区画２Ｂ〜２Ｄに収容されていない状態では、収容区画２Ｂ〜２Ｄは、互いに連通している。
【００２７】
各隔壁部２２ａ〜２２ｃの下面には、載置される果実包装容器３の上面を押圧固定するために下方に延びた押圧部２５ａ〜２５ｃが形成されている（図２、図３（ａ）参照）。この押圧部２５ａ〜２５ｃにより、果実包装容器３が上下方向に移動することを抑制すると共に、収容される果実包装容器３に対して適度な弾性を与え、輸送中の振動や衝撃等が、果実包装容器３に伝わることを抑止することができる。
【００２８】
また、収容区画２Ａ〜２Ｃは、互いの内部空間を連通させた通気流路を有する。具体的には、容器本体２を構成する鉛直面のうち、開口部２０と対向する背板２４は、背板２４の内壁面２４ａから開口部２０に向けて突出して果実包装容器３と接触する突出部２６を有する（図２、図３（ａ）、図４（ａ）〜（ｃ）参照）。突出部２６は、収容区画２Ａ〜２Ｄ毎に水平方向に所定の間隔を空けて複数、本実施形態では２箇所設けられている。従って、果実包装容器３が収容区画２Ｂ〜２Ｄに収容された状態でも、果実包装容器３は背板２４の内壁面２４ａに接触せず、それらの間に通気流路２７が成される。なお、突出部２６の背板２４の内壁面２４ａに対する突出量は、例えば、１〜１０ｍｍ程度あればよい。突出部２６の突出量が大き過ぎると、収容できる果実包装容器３の大きさが制限され、小さ過ぎると、通気流路２７が冷気を通すのに必要な開口面積を確保できなくなる。
【００２９】
蓄冷剤４が収容される収容区画、本実施形態では、最も上方の収容区画２Ａは、蓄冷剤４を載置するために背板２４の内壁面２４ａから開口部２０に向けて立設された載置片２８を有する。蓄冷剤４は、梱包時には凍った固体状態であるが、時間経過と共に溶解し、柔らかくなるので、隔壁部２２ａ、２２ａ’にその両縁が置かれただけでは保持されなくなる。そこで、一定の水平面積を有する載置片２８が設けられたことで、柔らかくなった蓄冷剤４も安定的に保持される。また、載置片２８と、この載置片２８と併設された隔壁部２２ａとの間には間隙２８ａが設けられている。従って、この間隙２８ａから、蓄冷剤４で冷却された冷気を下方の収容区画２Ｂに流すことができる。
【００３０】
一方の側板２１と天板２３ｂとが成す角部のうち、開口部２０側の角部には、切欠部２９ａが設けられている。また、開口部２０の周縁の対角を成す内突隅部２０ｂには、容器本体２内の収容空間と切欠部２９ａとを連通する通気孔２９ｂが設けられている。果物の種類によっては、エチレンガス等の成熟ホルモンを発生させるものがあり、容器本体２内を完全密閉状態とすると、果物が過剰に熟成されて腐敗する等の劣化を引き起こすことがある。そこで、本実施形態の果実輸送箱１では、切欠部２９ａ及び通気孔２９ｂを設けることで、容器本体２内の空気（ガス）を容器外へ放出し、果物の劣化を抑制することができる。
【００３１】
また、切欠部２９ａ及び通気孔２９ｂは、他方の側板２１と底板２３ａとが成す角部にも形成されている。従って、天板２３ｂ近傍及び底板２３ａ近傍の２箇所から容器本体２内のガスを容器外へ放出することができる。また、側板２１と天板２３ｂ又は底板２３ａとが成す角部は、いずれも丸みを帯びるように面取りされており、切欠部２９ａは、この面取りされた角部近傍に形成されているので、複数の果実輸送箱１が隙間なく並置されたり、積載されても、隣り合う果実輸送箱１の側板２１、天板２３ｂ又は底板２３ａによって切欠部２９ａが塞がれることはなく、効果的に容器本体２内のガスを容器外へ放出することができる。
【００３２】
図６に示すように、果実包装容器３は、例えば、下部材３１及び上部材３２を組み合わせた平面視で直方体形状の容器である。下部材３１は、上方が開口したトレー部３１ａと、トレー部３１ａの上縁に設けられた鍔部３１ｂと、を有する。トレー部３１ａ内には、例えば、イチゴの果実型に成型されたポリエチレン（ＰＥ）フィルム（不図示）が配置され、このＰＥフィルムがトレー部３１ａの底面に接触しないように鍔部３１ｂに係止されており、イチゴ等の果物を略宙吊り状態とする。トレー部３１ａの底面は平坦面であり、この底面と鍔部３１ｂとを繋ぐ側面がテーパ状に傾斜している。上部材３２は、下方が開口したカバーであり、下部材３１の鍔部３１ｂの内縁に嵌め込まれる。上部材３２の上面は平坦面であり、上面から下方の開口に向かう側面は、逆テーパ状に傾斜している。なお、果実包装容器３の形状は、容器本体２の収容区画２Ｂ〜２Ｄに収容されて各隔壁部２２ａ〜２２ｃにより保持される形状であればよく、図６に示した形状に限られない。
【００３３】
図７に示すように、蓋部材５は、容器本体２の開口部２０と対応する形状に形成されている。蓋部材５は、その正面視において略矩形状の蓋板５１と、蓋板５１の周縁に設けられて蓋板５１の内方よりも外方が突出した外突隅部５０ａと、外方よりも内方が突出した内突隅部５０ｂと、を有する。外突隅部５０ａは、蓋部材５の一の対角を成す位置に夫々設けられ、内突隅部５０ｂは、蓋部材５の他の対角を成す位置に夫々設けられている。外突隅部５０ａ及び内突隅部５０ｂは、夫々底面視においてＬ字形状である。
【００３４】
外突隅部５０ａの内壁部には、容器本体２に形成された凸形状のガイド突起２０ｄと嵌合するガイド溝５０ｃが形成されている。また、内突隅部５０ｂの外壁部には、容器本体２に形成された凹形状のガイド溝２０ｃと嵌合するガイド突起５０ｄが形成されている。これらガイド溝２０ｃ、５０ｃ及びガイド突起２０ｄ、５０ｄを嵌合させることで、容器本体２と蓋部材５とを連結させて、果実輸送箱１の気密性を良好に保つことができる。
【００３５】
また、外突隅部５０ａの内方には、外突隅部５０ａと所定の間隔を空けて設けられた突条部５２ａが設けられている。突条部５２ａは、底面視においてＬ字形状の外突隅部５０ａの２辺に沿って設けられており、直交する突条部５２ａの角部には、容器本体２の通気孔２９ｂ（図５（ｂ）参照）と対向するように、通気孔５２ｂが設けられている。蓋部材５を容器本体２の開口部２０に装着させたとき、外突隅部５０ａと突条部５２ａとの間に容器本体２の内突隅部２０ｂが嵌り込む。すなわち、外突隅部５０ａ及び突条部５２ａが、内突隅部２０ｂを挟持するので、容器本体２と強固に連結され、外側からバンドをかけなくても、蓋部材５が容器本体２から外れることを防止することができる。突条部５２ａが内突隅部２０ｂと密着していても、通気孔５２ｂが設けられているので、容器本体２の通気孔２９ｂが塞がれることはなく、容器本体２内のガスを容器外へ放出することができる。
【００３６】
上記のように構成された果実輸送箱１では、背板２４の内壁面２４ａの一部には、隔壁部２２ａ’〜２２ｃ’が設けられていないので、果実包装容器３が収容区画２Ｂ〜２Ｄに収容されていない状態では、収容区画２Ｂ〜２Ｄは、互いに連通している。そして、背板２４の内壁面２４ａには、開口部２０から差し入れられる果実包装容器３と接触する突出部２６が、所定の間隔を空けて設けられている。従って、図８（ａ）乃至（ｃ）に示すように、果実包装容器３が収容区画２Ｂ〜２Ｄに収容された状態でも、果実包装容器３は背板２４の内壁面２４ａに接触せず、それらの間に通気流路２７（図中のハッチング部）が成される。その結果、蓄冷剤４によって冷却された空気は、通気流路２７を通じて収容区画２Ｂ〜２Ｄに流れるので、果実輸送箱１内の収容空間の保冷性を高く維持することができる。従って、イチゴ等の果実の流通過程において、冷却設備が整っていない環境に置かれる期間があっても、収容空間を長期間に亘って低温に維持することができ、果実を傷み難くすることができる。
【００３７】
また、果実輸送箱１は、その内部の収容空間に収容された果実包装容器３が、隔壁部２２ａ〜２２ｃで区画された収容区画２Ａ〜２Ｄに夫々収容されるので、果実包装容器３同士の接触がなく、果実包装容器３自体も半ば宙に浮かせたような状態とすることができる。従って、果実輸送箱１は、果実包装容器３に包装されたイチゴ等の果実が、輸送中の振動や接触によって痛むことを適切に防止できる。
【００３８】
図９（ａ）（ｂ）に示すように、果実輸送箱１は、２つの容器本体２を、互いの開口部２０を対向させて嵌合させることができる。従って、一方の容器本体２のガイド溝２０ｃを、他方の容器本体２のガイド突起２０ｄと嵌合させ、一方のガイド突起２０ｄを他方の容器本体２のガイド溝２０ｃに嵌合させることにより、２つの容器本体２を連結させることができる。これにより、果実輸送箱１は、蓋部材５を用いることなく、容器本体２だけでも果実包装容器３及び蓄冷剤４を収容する収容空間を得ることができる。なお、この場合、図９（ｂ）に示したように、果実輸送箱１は、２つの容器本体２を連結方向の幅が長くなるので、一方の容器本体２の非連結端部に外部から力がかかると、連結箇所が外れ易くなる。そこで、凹部２４ｃにバンド５を係止させることで、２つの容器本体２を強固に連結させることができる。
【００３９】
なお、本発明は、上記実施形態に限らず、種々の変形が可能である。上記実施形態では、背板２４の内壁面２４ａに沿って通気流路２７が形成された構成を示したが、通気流路２７は、複数の収容区画２Ａ〜２Ｄを連通するものであれば、上記構成に限られず、例えば、側板２１の内壁面２１ａ側や、開口部２０側（又は蓋部材５側）に設けられていてもよい。また、容器本体２を成す鉛直面の複数の内側面に形成されていてもよい。また、果実輸送箱１に収容される果実は、イチゴに限定されず、果実輸送箱１は、例えば、モモ、梨、リンゴ、メロン、ブドウ、ビワ等その他のデリケートな農産品に対しても適用することができる。
【符号の説明】
【００４０】
１    果実輸送箱
２    容器本体
２Ａ、２Ｂ、２Ｃ、２Ｄ    収容区画
２０    開口部
２１    側板
２１ａ    側板の内壁面（鉛直面）
２２ａ、２２ｂ、２２ｃ、２２ａ’、２２ｂ’、２２ｃ’    隔壁部
２４    背板
２４ａ    背板の内壁面（鉛直面）
２６    突出部
２７    通気流路
２８    載置片
２８ａ    間隙
３    果実包装容器
４    蓄冷財
【図１】
2018127274.tif 000003
【図２】
2018127274.tif 000004
【図３】
2018127274.tif 000005
【図４】
2018127274.tif 000006
【図５】
2018127274.tif 000007
【図６】
2018127274.tif 000008
【図７】
2018127274.tif 000009
【図８】
2018127274.tif 000010
【図９】
2018127274.tif 000011